(57)【要約】      （修正有）【課題】掌および指と釣り竿の間の隙間を低減することにより、使用者の握り心地が良くなる。【解決手段】固定部と、グリップ保護部とを含み、リール３０には固定台４０が形成してあり、釣り竿には、一つの嵌め溝が成形され、一つの嵌め当接素子が取付けられる、釣り竿と結合するリールの固定台の構造において、前記固定部は、固定台の頂端に形成してあり、その上端面が円弧状窪みを呈し、釣り竿の外側面に寄り、その両側が、釣り竿の嵌め溝と、釣り竿と嵌め当接素子との間の隙間とに嵌合し、前記グリップ保護部は、固定部の下端に成形され、固定部との間に二つの欠け口が形成してあり、嵌め当接素子と、釣り竿にある嵌め溝の外側面に寄ることを特徴とする、釣り竿と結合するリールの固定台の構造。【選択図】図２
0003109164.tif 000002
【実用新案登録請求の範囲】
【請求項１】
固定部と、グリップ保護部とを含み、リールには固定台が形成してあり、釣り竿には、一つの嵌め溝が成形され、一つの嵌め当接素子が取付けられる、釣り竿と結合するリールの固定台の構造において、
前記固定部は、固定台の頂端に形成してあり、その上端面が円弧状窪みを呈し、釣り竿の外側面に寄り、その両側が、釣り竿の嵌め溝と、釣り竿と嵌め当接素子との間の隙間とに嵌合し、
前記グリップ保護部は、固定部の下端に成形され、固定部との間に二つの欠け口が形成してあり、嵌め当接素子と、釣り竿にある嵌め溝の外側面に寄ることを特徴とする、
釣り竿と結合するリールの固定台の構造。
【請求項２】
固定部とグリップ保護部とは、それぞれテーパー状を呈することを特徴とする、
請求項１に記載の釣り竿と結合するリールの固定台の構造。
【請求項３】
固定部とグリップ保護部との縦断面は円弧状窪みを呈し、固定部とグリップ保護部との上下端面が円弧状窪みを呈することを特徴とする、
請求項１に記載の釣り竿と結合するリールの固定台の構造。
【請求項４】
前記欠け口は、固定部の下端面と、グリップ保護部の上端面とから構成されることを特徴とする、
請求項１に記載の釣り竿と結合するリールの固定台の構造。
【請求項５】
二つの欠け口は、異なる方向に向いていることを特徴とする、
請求項１に記載の釣り竿と結合するリールの固定台の構造。
【考案の詳細な説明】
【技術分野】
【０００１】
本考案は釣り竿と結合するリールの固定台の構造に関するものである。
【背景技術】
【０００２】
図１に示すように、従来の釣り竿１０には一つのリール２０が取付けてあり、前記リール２０は釣り糸を巻き上げるためのものである。前記釣り竿１０はグリップ１１を有し、グリップ１１には一つの嵌め溝１１１が成形してあり、また、釣り竿１０には一つの嵌め当接素子１２が取付けてあり、前記嵌め当接素子１２は釣り竿１０の軸方向に沿って往復に摺動でき、且つ嵌め当接素子１２と釣り竿１０との間には一つの制限溝１３が形成してある。
前記リール２０は一つの固定台２１を有し、前記固定台２１の上端は第一嵌め部２１１と第二嵌め部２１２とに分けられ、前記第一嵌め部２１１は、釣り竿１０の周面に寄り、且つグリップ１１の嵌め溝１１１内に嵌合され、前記第二嵌め部２１２は、釣り竿１０の周面に寄り、且つ嵌め当接素子１２に当接されて定位することで、リール２０の組合いが完成する。
【考案の開示】
【考案が解決しようとする課題】
【０００３】
しかしながら、従来の釣り竿には次のような欠点があった。
（イ）リール２０を釣り竿１０に取付けた後、グリップ１１と、嵌め当接素子１２と、リール２０の固定台２１との間には段差があり、且つ使用者は釣り竿１０のグリップ１１を握るので、使用者が握る時には、掌および指と釣り竿１０の間の隙間が大きすぎ、握り心地が良くなかった。
【０００４】
（ロ）グリップ１１と、嵌め当接素子１２と、リール２０の固定台２１との間には凹凸の結合構造があるので、使用者が握る時に、掌および指と釣り竿１０の間の隙間が大きすぎ、握り心地が良くなかった。
【０００５】
本考案の主な目的は、掌および指と釣り竿１０の間の隙間を低減することにより、使用者の握り心地が良くなる、釣り竿と結合するリールの固定台の構造を提供する。
【課題を解決するための手段】
【０００６】
上記欠点を解決するためになされた本願の考案は、固定部と、グリップ保護部とを含み、リールには固定台が形成してあり、釣り竿には、一つの嵌め溝が成形され、一つの嵌め当接素子が取付けられる、釣り竿と結合するリールの固定台の構造において、前記固定部は、固定台の頂端に形成してあり、その上端面が円弧状窪みを呈し、釣り竿の外側面に寄り、その両側が、釣り竿の嵌め溝と、釣り竿と嵌め当接素子との間の隙間とに嵌合し、前記グリップ保護部は、固定部の下端に成形され、固定部との間に二つの欠け口が形成してあり、嵌め当接素子と、釣り竿にある嵌め溝の外側面に寄ることを特徴とする、釣り竿と結合するリールの固定台の構造であることを要旨としている。
【０００７】
本願の考案では、固定部とグリップ保護部とは、それぞれテーパー状を呈することを特徴とする請求項１に記載の釣り竿と結合するリールの固定台の構造であることを要旨としている。
【０００８】
本願の考案では、固定部とグリップ保護部との縦断面は円弧状窪みを呈し、固定部とグリップ保護部との上下端面が円弧状窪みを呈することを特徴とする請求項１に記載の釣り竿と結合するリールの固定台の構造であることを要旨としている。
【０００９】
本願の考案では、前記欠け口は、固定部の下端面と、グリップ保護部の上端面とから構成されることを特徴とする請求項１に記載の釣り竿と結合するリールの固定台の構造であることを要旨としている。
【００１０】
本願の考案では、二つの欠け口は、異なる方向に向いていることを特徴とする請求項１に記載の釣り竿と結合するリールの固定台の構造であることを要旨としている。
【考案の効果】
【００１１】
本考案に係る釣り竿と結合するリールの固定台の構造によれば、掌および指と釣り竿１０の間の隙間を低減することにより、使用者の握り心地が良くなる。
【考案を実施するための最良の形態】
【００１２】
以下、添付図面を参照して本考案の好適な実施の形態を詳細に説明する。
【００１３】
まず、図２乃至図６を参照する。図２乃至図６に示すのは、本考案の第一実施例であり、リール３０には固定台４０が形成してあり、ロッド５０のグリップ５１には、一つの嵌め溝５１１が成形され、一つの嵌め当接素子５２が取付けられ、なお、固定台４０は、固定部４１と、グリップ保護部４２とから構成される。
【００１４】
前記固定部４１は、固定台４０の頂端で両側に向いて形成され、その上端面が円弧状窪みを呈し、だから、上下端面４１１，４１２がそれぞれ円弧状窪みを呈し、固定部４１の上端面４１１がロッド５０の外側面に寄り、固定部４１の両側が、ロッド５０の嵌め溝５１１と、ロッド５０と嵌め当接素子５２との間の隙間とに嵌合する。
【００１５】
前記グリップ保護部４２は、固定部４０の下端に成形され、固定部４０とグリップ保護部４２とは、それぞれテーパー状を呈し、また、グリップ保護部４２の縦断面は円弧状窪みを呈し、だから、その上下端面４２１，４２２が円弧状窪みを呈し、なお、グリップ保護部４２にある上端面４２１と固定部４１にある下端面４１２とは開口が異なる方向に向いている欠け口４３を構成し、グリップ保護部４２の上端面４２１は、嵌め当接素子５２と、ロッドにある嵌め溝５１１の外側面に寄る。
【００１６】
図２及び図３を参照にして、本考案の使用状態および機能を説明する。固定台４０の固定部４１は、ロッドのグリップ５１に取付けられ、且つその両側が、ロッド５０の嵌め溝５１１と、ロッド５０と嵌め当接素子との間の隙間とに嵌合することにより、リール３０が固定される。固定台４０の固定部４１の下端にはグリップ保護部４２が形成され、且つグリップ保護部４２は嵌め当接素子５２とロッド５０にある嵌め溝５１１の外周面をカバーし、ロッド５０にあるグリップ５１と、嵌め当接素子５２と、固定台４０との間にはスムーズな構造を形成し、使用者が釣り竿を握るときには、固定台４０のグリップ保護部４２の下端面４２２を握り、なお、グリップ保護部４２の下端面４２２はスムーズな円弧面なので、使用者が握っているときに、掌および指とロッド５０の間には隙間が少ないので、ロッド５０に対する操縦性が良くなる。
【００１７】
一方、ロッド５０にあるグリップ５１と、嵌め当接素子５２と、固定台４０との間はスムーズな構造を形成し、掌および指とロッド５０の間には隙間が少ないので、使用者の握り心地が良くなる。
【００１８】
また、図７及び図８に示すのは、本考案の第二実施例であり、リール３０には固定台４０が形成してあり、ロッド５０のグリップ５１には、一つの嵌め溝５１１が成形され、一つの嵌め当接素子５２が取付けられ、なお、固定台４０は、固定部４１と、グリップ保護部４２とから構成される。その構成および機能は第一実施例と同様なので、ここで説明を省略する。
【００１９】
第二実施例の第一実施例と異なる点を以下に示す。
固定台４０のグリップ保護部４２の上端面４２１と、固定部４１の下端面４１２とから構成され異なる方向に向いている欠け口４４は、その深さは第一実施例の欠け口４３よりも深くしてもよい。これにより、ロッドのグリップ５１に固定台４０を取付けるときに、欠け口４４と嵌め当接素子５２及びロッド５０にある嵌め溝５１１との間にある隙間がより大きくなり、更にグリップ４２を加えると、第二実施例は、第一実施例と同様な機能を有すると共に、使用者が釣り竿を握るときに振動吸収効果を発揮することもできる。
【図面の簡単な説明】
【００２０】
【図１】釣り竿に取付けた従来のリールの側面図である。
【図２】本考案の第一実施例の側面図である。
【図３】図２の一部拡大図である。
【図４】本考案の第一実施例に係るリールの側面図である。
【図５】本考案の第一実施例に係る固定台の側面図である。
【図６】本考案の第一実施例に係る固定台の上面図である。
【図７】本考案の第二実施例の側面図である。
【図８】図７の一部拡大図である。
【符号の説明】
【００２１】
１０      釣り竿                    １１      グリップ
１１１    嵌め溝                    １２      嵌め当接素子
１３      制限溝                    ２０      リール
２１      固定台                    ２１１    第一嵌め部
２１２    第二嵌め部                ３０      リール
４０      固定台                    ４１      固定部
４１１    上端面                    ４１２    下端面
４２      グリップ保護部            ４２１    上端面
４２２    下端面                    ４３      欠け口
４４      欠け口                    ５０      ロッド
５１      グリップ                  ５１１    嵌め溝
５２      嵌め当接素子
【図１】
0003109164.tif 000003
【図２】
0003109164.tif 000004
【図３】
0003109164.tif 000005
【図４】
0003109164.tif 000006
【図５】
0003109164.tif 000007
【図６】
0003109164.tif 000008
【図７】
0003109164.tif 000009
【図８】
0003109164.tif 000010